(57)【要約】【課題】  録画および再生操作が簡単なデータ記録再生装置を提供する。【解決手段】  データ記録再生装置の一態様であるハードディスクレコーダ１００のシステム制御部２００が実行する処理は、録画の指示が入力された場合に（Ｓ１１１０にてＹＥＳ）、指定されたエリアの録画状況を確認するステップ（Ｓ１１２０）と、そのエリアに録画可能である場合に（Ｓ１１３０にてＹＥＳ）、選択されたエリアに録画を実行するステップ（Ｓ１１８０）とを含む。システム制御部２００が実行する処理は、さらに、そのエリアに録画可能でない場合に（Ｓ１１３０にてＮＯ）、録画済みデータが消去された場合（Ｓ１１６０にてＹＥＳ）と、録画可能な他のエリアが選択された場合（Ｓ１１７０にてＹＥＳ）、選択されたエリアに録画を実行するステップ（Ｓ１１８０）とを含む。【選択図】        図１１
2006099869.tif 000002
【特許請求の範囲】
【請求項１】
信号を受信する受信手段と、
データを格納する複数の記録領域の各々に、映像音声データを記録可能な記録手段と、
前記複数の記録領域の各々における映像音声データの記録の有無を表わす管理データを格納する管理データ記憶手段と、
前記記録手段に対する映像音声データの記録と、前記記録手段からの映像音声データの再生とを実行する記録再生手段と、
録画指示が含まれる信号の受信に応答して、前記管理データに基づいて、他の映像音声データが前記いずれかの記録領域に記録されているか否かを確認する確認手段とを備え、前記録画指示は、前記複数の記録領域の中のいずれかの記録領域に映像音声データを記録するための指示であり、
さらに、前記他の映像音声データが前記いずれかの記録領域に記録されていない場合に、前記録画指示に基づいて、前記記録再生手段に、前記記録が指示された映像音声データを前記いずれかの記録領域に記録させる記録制御手段と、
前記他の映像音声データが前記いずれかの記録領域に記録されている場合に、前記他の映像音声データが記録済みである旨と、前記他の記録領域における映像音声データの記録状態とを含むメッセージを表示するための表示データを生成する生成手段と、
前記表示データを出力する出力手段と、
前記他の映像音声データを消去する指示が含まれる信号の受信に応答して、前記他の映像音声データを消去する消去手段とを備え、
前記記録制御手段は、前記他の映像音声データが消去されると、前記記録再生手段に、前記記録が指示された映像音声データを前記いずれかの記録領域に記録させ、
さらに、再生指示が含まれる信号の受信に応答して、前記記録再生手段に、再生が指示された記録手段から前記映像音声データを再生させる再生制御手段を備え、
前記再生指示は、前記複数の記録領域の中のいずれかの記録領域に格納されている映像音声データを再生する指示である、データ記録再生装置。
【請求項２】
指示の入力を受ける入力手段と、
データを格納する複数の記録領域の各々に、映像音声データを記録可能な記録手段と、
前記複数の記録領域の各々における映像音声データの記録の有無を表わす管理データを格納する管理データ記憶手段と、
前記記録手段に対する映像音声データの記録と、前記記録手段からの映像音声データの再生とを実行する記録再生手段と、
録画指示の入力に応答して、前記管理データに基づいて、他の映像音声データが前記いずれかの記録領域に記録されているか否かを確認する確認手段とを備え、前記録画指示は、前記複数の記録領域の中のいずれかの記録領域に映像音声データを記録するための指示であり、
さらに、前記他の映像音声データが前記いずれかの記録領域に記録されていない場合に、前記録画指示に基づいて、前記記録再生手段に、前記記録が指示された映像音声データを前記いずれかの記録領域に記録させる記録制御手段とを備える、データ記録再生装置。
【請求項３】
前記データ記録再生装置は、
前記複数の記録領域の各々におけるデータの記録状態を通知するためのデータを生成する生成手段と、
前記通知データを出力する出力手段とをさらに備える、請求項２に記載のデータ記録再生装置。
【請求項４】
前記生成手段は、前記他の映像音声データが記録済みである旨と、前記他の記録領域における映像音声データの記録状態とを含むメッセージを表示するための表示データを生成する、請求項３に記載のデータ記録再生装置。
【請求項５】
前記データ記録再生装置は、前記他の映像音声データを消去する指示が含まれる信号の受信に応答して、前記他の映像音声データを消去する消去手段をさらに備え、
前記記録制御手段は、前記他の映像音声データが消去されると、前記記録再生手段に、前記記録が指示された映像音声データを前記いずれかの記録領域に記録させる、請求項２に記載のデータ記録再生装置。
【請求項６】
前記データ記録再生装置は、再生指示が含まれる信号の受信に応答して、前記記録再生手段に、再生が指示された記録手段から前記映像音声データを再生させる再生制御手段をさらに備え、
前記再生指示は、前記複数の記録領域の中のいずれかの記録領域に格納されている映像音声データを再生する指示である、請求項２に記載のデータ記録再生装置。
【請求項７】
前記入力手段は、前記指示が含まれる信号を受信する受信手段を含む、請求項２に記載のデータ記録再生装置。
【請求項８】
データ記録再生装置に対する記録指示と再生指示との入力を受ける複数の入力手段を備え、
前記データ記録再生装置は、
データを格納する複数の記録領域の各々に、映像音声データを記録可能な記録手段と、
受信信号に基づいて、前記記録手段に対する映像音声データの記録と、前記記録手段からの映像音声データの再生とを実行する記録再生手段とを含み、
さらに、
前記複数の記録領域の各々を識別する各領域名と、前記複数の入力手段の各々を識別する各識別データとを関連づけて格納する記憶手段と、
前記複数の記録領域のいずれかに対する記録指示の入力に応答して、前記記録指示が入力された入力手段の前記識別データに基づいて、前記記録が指示された記録領域の前記領域名と前記記録指示とが含まれる信号を生成する第１の信号生成手段と、
前記複数の記録領域のいずれかから映像音声データを再生するための再生指示の入力に応答して、前記再生が指示された記録領域の前記領域名と前記再生指示とが含まれる信号を生成する第２の信号生成手段と、
前記データ記録再生装置に、前記生成された各信号を送信する送信手段とを備える、リモコン端末。
【請求項９】
データ記録再生装置の複数の動作のいずれかの指示の入力を受ける複数の入力手段を備え、
前記データ記録再生装置は、データを格納する複数の記録領域の各々に、映像音声データを記録可能な記録手段と、
受信信号に基づいて、前記記録手段に対する映像音声データの記録と、前記記録手段からの映像音声データの再生とを実行する記録再生手段とを含み、
さらに、
前記複数の記録領域の各々と、前記複数の入力手段の各々とを関連付けるための管理データを格納する記憶手段と、
前記いずれかの指示の入力に応答して、前記管理データに基づいて前記記録再生手段を作動させるための信号を生成する生成手段と、
前記データ記録再生装置に、前記生成された各信号を送信する送信手段とを備える、リモコン端末。
【請求項１０】
前記複数の入力手段は、前記複数の記録領域のいずれかに対する映像音声データの記録指示の入力と、前記複数の記録領域のいずれかからの映像音声データの再生指示の入力とを受け、
前記生成手段は、
前記記録指示の入力に応答して、前記記録再生手段に、前記記録が指示された記録領域に映像音声データを記録させるための信号を生成する第１の信号生成手段と、
前記再生指示の入力に応答して、前記記録再生手段に、前記再生が指示された記録領域から映像音声データを読み出させるための信号を生成する第２の信号生成手段とを含む、請求項９に記載のリモコン端末。
【請求項１１】
前記記憶手段は、前記複数の記録領域の各々を識別する各領域名と、前記複数の入力手段の各々を識別する各識別データとを関連づけて格納し、
前記第１の信号生成手段は、前記記録指示が入力された入力手段の前記識別データに基づいて、前記記録が指示された記録領域の前記領域名と前記記録指示とが含まれる信号を生成し、
前記第２の信号生成手段は、前記再生指示が入力された入力手段の前記識別データに基づいて、前記再生が指示された記録領域の前記領域名と前記再生指示とが含まれる信号を生成する、請求項１０に記載のリモコン端末。
【発明の詳細な説明】
【技術分野】
【０００１】
本発明は、記録媒体にデータを格納する技術および記録媒体からデータを読み出す技術に関する。より特定的には、本発明は、複数の記録領域に対するデータの記録および当該領域からデータを読み出すデータ記録再生装置および当該記録および読み出しを指令するためのリモコン端末に関する。
【背景技術】
【０００２】
ハードディスクレコーダ、ＤＶＤ（Digital Versatile Disc）レコーダその他のデジタルデータ記録再生装置は、データの記憶容量に関し、ＶＴＲ（Video Tape Recorder）等の従来の記録装置よりも、大きな容量を有する。そのため、複数のデータを容易に記録することが可能になっている。結果として、複数の記録済みデータから、特定のデータを選択して再生するための機能が求められている。また、データ記録再生装置の機能の追加に合わせて、操作性が向上した装置あるいはその装置を制御するためのリモコン端末が開示されている。
【０００３】
たとえば、特開平９−２８４６８９号公報（特許文献１）は、利便性の向上したリモートコントロール送信機を開示する。この送信機は、テレビジョン受像機が受信しているチャンネル情報を記憶するチャンネルメモリと、テレビジョン受像機およびテレビジョン信号記録再生装置のリモートコントロール識別符号を記憶する識別符号メモリと、テレビジョン信号記録再生装置にて、テレビジョン信号を記録することを指示する記録指示部と、この記録指示部から記録指示を受けて、チャンネルメモリから読み出したチャンネル情報に、識別符号メモリから読み出したテレビジョン信号記録再生装置のリモートコントロール識別符号を付して出力した後、テレビジョン信号記録再生装置の記録開始を指示する符号を出力するように制御する制御部と、この制御手段の出力を受けて、リモートコントロール信号を送信する送信回路とを備える。
【０００４】
上記のリモートコントロール送信機は、テレビジョン信号記録再生装置へ、チャンネルメモリから読み出したテレビジョン受像機の受信しているチャンネル情報を送信した後、記録開始の指示を送信する。このため、テレビジョン受像機の映像・音声出力を予めテレビジョン信号記録再生装置の外部映像・音声入力に接続しなくても、テレビ番組を直ちに録画できる機能を実現できる。
【０００５】
また、特開２００３−２０３４６３号公報（特許文献２）は、複数のデータが記録された記録媒体を簡易な操作により再生可能なデータ再生装置を開示する。この装置は、記録メディアの装填が可能である。この装置は、記録メディアに記録されている複数の一連データの内、所望の１或いは複数の一連データを再生する際に操作すべき１或いは複数の再生キーを備える。記録メディアは、各再生キーの識別情報と各再生キーとが操作されたときに再生すべき１或いは複数の一連データを特定するための特定情報とを含むキー登録テーブルデータを記録している。データ再生装置は、１或いは複数の操作キーの内、何れか１つの再生キーが操作されたとき、記録メディアに記録されているキー登録テーブルデータに基づいて、記録メディアに記録されている複数の一連データの中から再生キーに対する操作に応じて再生すべき１或いは複数の一連データを特定し、特定された１或いは複数の一連データの再生を開始させる。
【０００６】
上記のデータ再生装置によると、予め格納されているテーブルデータとキー操作とに基づいて、ユーザが再生を希望するデータが再生されるため、再生のための操作を簡略化することができる。
【特許文献１】特開平９−２８４６８９号公報
【特許文献２】特開２００３−２０３４６３号公報
【発明の開示】
【発明が解決しようとする課題】
【０００７】
しかしながら、特開平９−２８４６８９号公報に開示されたリモートコントロール送信機は、ＶＴＲに適用可能であるため、ハードディスクレコーダその他のデータ記録再生装置に対して適用できない。そのため、ユーザの操作を簡易にすることができないという問題があった。
【０００８】
また、特開２００３−２０３４６３号公報に開示された技術は、再生のためのキーを識別する識別情報が記録メディアに格納され、当該メディアが着脱可能な装置において適用可能である。そのため、記録媒体が着脱可能でないハードディスクレコーダに適用することができないという問題がある。また、着脱可能な記録媒体に、上記の識別情報を予めもたせておく必要があるため、ユーザが係る操作を実行する必要がある。そのため、利便性の向上に限界があった。
【０００９】
本発明は、上述の問題点を解決するためになされたものである。その目的は、複数の記録領域に対してデータの記録および再生が可能であり、ユーザによる記録および再生のための操作を容易に行なうことができるデータ記録再生装置を提供することである。
【００１０】
本発明の他の目的は、複数の記録領域にデータを記録可能なデータ記録再生装置に対して、ユーザによるデータの記録および再生のための操作を簡略化することができるリモコン端末を提供することである。
【課題を解決するための手段】
【００１１】
上記の課題を解決するために、この発明のある局面に従うと、データ記録再生装置は、信号を受信する受信手段と、データを格納する複数の記録領域の各々に、映像音声データを記録可能な記録手段と、複数の記録領域の各々における映像音声データの記録の有無を表わす管理データを格納する管理データ記憶手段と、記録手段に対する映像音声データの記録と、記録手段からの映像音声データの再生とを実行する記録再生手段と、録画指示が含まれる信号の受信に応答して、管理データに基づいて、他の映像音声データがいずれかの記録領域に記録されているか否かを確認する確認手段とを備える。録画指示は、複数の記録領域の中のいずれかの記録領域に映像音声データを記録するための指示である。データ記録再生装置は、さらに、他の映像音声データがいずれかの記録領域に記録されていない場合に、録画指示に基づいて、記録再生手段に、記録が指示された映像音声データをいずれかの記録領域に記録させる記録制御手段と、他の映像音声データがいずれかの記録領域に記録されている場合に、他の映像音声データが記録済みである旨と、他の記録領域における映像音声データの記録状態とを含むメッセージを表示するための表示データを生成する生成手段と、表示データを出力する出力手段と、他の映像音声データを消去する指示が含まれる信号の受信に応答して、他の映像音声データを消去する消去手段とを備える。記録制御手段は、他の映像音声データが消去されると、記録再生手段に、記録が指示された映像音声データをいずれかの記録領域に記録させる。データ記録再生装置は、さらに、再生指示が含まれる信号の受信に応答して、記録再生手段に、再生が指示された記録手段から映像音声データを再生させる再生制御手段を備える。再生指示は、複数の記録領域の中のいずれかの記録領域に格納されている映像音声データを再生する指示である。
【００１２】
この発明の他の局面に従うと、データ記録再生装置は、指示の入力を受ける入力手段と、データを格納する複数の記録領域の各々に、映像音声データを記録可能な記録手段と、複数の記録領域の各々における映像音声データの記録の有無を表わす管理データを格納する管理データ記憶手段と、記録手段に対する映像音声データの記録と、記録手段からの映像音声データの再生とを実行する記録再生手段と、録画指示の入力に応答して、管理データに基づいて、他の映像音声データがいずれかの記録領域に記録されているか否かを確認する確認手段とを備える。録画指示は、複数の記録領域の中のいずれかの記録領域に映像音声データを記録するための指示である。データ記録再生装置は、さらに、他の映像音声データがいずれかの記録領域に記録されていない場合に、録画指示に基づいて、記録再生手段に、記録が指示された映像音声データをいずれかの記録領域に記録させる記録制御手段とを備える。
【００１３】
好ましくは、データ記録再生装置は、複数の記録領域の各々におけるデータの記録状態を通知するためのデータを生成する生成手段と、通知データを出力する出力手段とをさらに備える。
【００１４】
好ましくは、生成手段は、他の映像音声データが記録済みである旨と、他の記録領域における映像音声データの記録状態とを含むメッセージを表示するための表示データを生成する。
【００１５】
好ましくは、データ記録再生装置は、他の映像音声データを消去する指示が含まれる信号の受信に応答して、他の映像音声データを消去する消去手段をさらに備える。記録制御手段は、他の映像音声データが消去されると、記録再生手段に、記録が指示された映像音声データをいずれかの記録領域に記録させる。
【００１６】
好ましくは、データ記録再生装置は、再生指示が含まれる信号の受信に応答して、記録再生手段に、再生が指示された記録手段から映像音声データを再生させる再生制御手段をさらに備える。再生指示は、複数の記録領域の中のいずれかの記録領域に格納されている映像音声データを再生する指示である。
【００１７】
好ましくは、入力手段は、指示が含まれる信号を受信する受信手段を含む。
【００１８】
この発明の他の局面に従うと、リモコン端末は、データ記録再生装置に対する記録指示と再生指示との入力を受ける複数の入力手段を備える。データ記録再生装置は、データを格納する複数の記録領域の各々に、映像音声データを記録可能な記録手段と、受信信号に基づいて、記録手段に対する映像音声データの記録と、記録手段からの映像音声データの再生とを実行する記録再生手段とを含む。リモコン端末は、さらに、複数の記録領域の各々を識別する各領域名と、複数の入力手段の各々を識別する各識別データとを関連づけて格納する記憶手段と、複数の記録領域のいずれかに対する記録指示の入力に応答して、記録指示が入力された入力手段の識別データに基づいて、記録が指示された記録領域の領域名と記録指示とが含まれる信号を生成する第１の信号生成手段と、複数の記録領域のいずれかから映像音声データを再生するための再生指示の入力に応答して、再生が指示された記録領域の領域名と再生指示とが含まれる信号を生成する第２の信号生成手段と、データ記録再生装置に、生成された各信号を送信する送信手段とを備える。
【００１９】
この発明のさらに他の局面に従うと、リモコン端末は、データ記録再生装置の複数の動作のいずれかの指示の入力を受ける複数の入力手段を備える。データ記録再生装置は、データを格納する複数の記録領域の各々に、映像音声データを記録可能な記録手段と、受信信号に基づいて、記録手段に対する映像音声データの記録と、記録手段からの映像音声データの再生とを実行する記録再生手段とを含む。リモコン端末は、さらに、複数の記録領域の各々と、複数の入力手段の各々とを関連付けるための管理データを格納する記憶手段と、いずれかの指示の入力に応答して、管理データに基づいて記録再生手段を作動させるための信号を生成する生成手段と、データ記録再生装置に、生成された各信号を送信する送信手段とを備える。
【００２０】
好ましくは、複数の入力手段は、複数の記録領域のいずれかに対する映像音声データの記録指示の入力と、複数の記録領域のいずれかからの映像音声データの再生指示の入力とを受ける。生成手段は、記録指示の入力に応答して、記録再生手段に、記録が指示された記録領域に映像音声データを記録させるための信号を生成する第１の信号生成手段と、再生指示の入力に応答して、記録再生手段に、再生が指示された記録領域から映像音声データを読み出させるための信号を生成する第２の信号生成手段とを含む。
【００２１】
好ましくは、記憶手段は、複数の記録領域の各々を識別する各領域名と、複数の入力手段の各々を識別する各識別データとを関連づけて格納する。第１の信号生成手段は、記録指示が入力された入力手段の識別データに基づいて、記録が指示された記録領域の領域名と記録指示とが含まれる信号を生成する。第２の信号生成手段は、再生指示が入力された入力手段の識別データに基づいて、再生が指示された記録領域の領域名と再生指示とが含まれる信号を生成する。
【発明の効果】
【００２２】
本発明に係るデータ記録再生装置によると、複数の記録領域の各々に対してデータの記録および再生が可能である。この記録および再生は、特定の領域に対する記録あるいは再生の指示が含まれる信号に基づいて行なわれる。したがって、データ記録再生装置のユーザは、その記録あるいは再生を容易に実行することができる。
【００２３】
本発明に係るリモコン端末によると、複数の記録領域にデータを記録可能なデータ記録再生装置に対して、ユーザによるデータの記録および再生のための操作を簡略化することができる。
【発明を実施するための最良の形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
＜第１の実施の形態＞
図１を参照して、本発明に係るデータ記録再生装置の一態様であるハードディスクレコーダ１００の構成について説明する。図１は、本発明の第１の実施の形態に係るハードディスクレコーダ１００のハードウェア構成を表わすブロック図である。
【００２６】
ハードディスクレコーダ１００は、操作部１２２と、受光部１２４と、計時回路１２６と、表示部１２８と、チューナ１３０と、外部入力部１３２と、ＭＰＥＧ（Moving Picture Experts Group）エンコーダ１５２と、システム制御回路２００と、ハードディスク装置１４０と、ＭＰＥＧデコーダ１５４と、ＯＳＤ（On Screen Display）画像生成回路１１４と、合成回路１５８と、Ｄ／Ａ（Digital to Analog）変換部１６０と、出力部１６８とを含む。システム制御回路２００は、メモリ１１２を含む。ハードディスク装置１４０は、データの記録と再生を行なうデータ記録再生ヘッド１４２と、データが格納されるハードディスク１４４とを含む。出力部１６８には、テレビ４００が接続される。
【００２７】
操作部１２２は、外部から指示の入力を受付けてその指示に応じた信号を出力する。受光部１２４は、リモコン信号を受信してその信号に応じた指令を出力する。計時回路１２６は、ハードディスクレコーダ１００の時刻を計測してその時刻を表わす信号を出力する。表示部１２８は、ハードディスクレコーダ１００の動作の状態を外部に表示する。ここで、動作の状態とは、たとえばハードディスクレコーダ１００が再生中である状態、録画中である状態等を含む。
【００２８】
チューナ１３０は、アンテナ１９０により受信された電波から、選局を指示されたチャンネルを選局する。外部入力部１３２は、外部に接続されたケーブル（図示しない）から映像データおよび音声データの入力を受付ける。ＭＰＥＧデコーダ１５４は、チューナ１３０により選局された放送電波の映像データあるいは外部入力部１３２より入力された映像データをＭＰＥＧ２形式に変換して出力する。システム制御部２００は、外部から入力される信号と内部に予め格納されているデータとに基づいて、予め定められた処理を実行する。
【００２９】
ＯＳＤ画像生成回路１１４は、システム制御回路２００により出力されるハードディスクレコーダ１００の動作の状態を表わす情報と、予め定められたデータとに基づいて、映像の表示部に表示させる画像を生成する。合成回路１５８は、ＭＰＥＧデコーダ１５４から出力されるデータとＯＳＤ画像生成回路１１４から出力されるデータとを合成して出力する。Ｄ／Ａ変換部１６０は、合成回路１５８から出力されるデジタル信号をアナログ信号に変換する。出力部１６８は、Ｄ／Ａ変換部１６０から出力される映像および音声データを出力する。
【００３０】
システム制御部２００は、後述する各処理を実行可能な回路を組合わせることにより実現される。あるいは、システム制御部２００は、当該処理を実現するためのプログラムを実行可能な演算処理装置（たとえば、ＣＰＵ（Central Processing Unit）等の演算制御装置）に、当該プログラムを実行させることにより実現される。メモリ１１２は、不揮発性あるいは揮発性のいずれのメモリであってもよい。ＭＰＥＧエンコーダ１５２およびＭＰＥＧデコーダ１５４は、各々の処理を実現するための回路により実現される。あるいは、ＭＰＥＧエンコーダ１５２およびＭＰＥＧデコーダ１５４は、当該演算処理装置にエンコード処理のためのプログラムあるいはデコード処理のためのプログラムを実行させることにより、実現されてもよい。
【００３１】
図２を参照して、ハードディスクレコーダ１００が備えるシステム制御部２００について説明する。図２は、システム制御部２００の機能的構成を表わすブロック図である。
【００３２】
システム制御部は、確認部２１０と、記録制御部２２０と、表示データ生成部２３０と、消去制御部２４０と、再生制御部２５０とを含む。確認部２１０は、録画指示が含まれる信号の受信に応答して、管理データに基づいて他の映像音声データがハードディスク１４４のいずれかの領域に記録されているか否かを確認する。ここで確認データとは、ハードディスク１４４の各記録領域における映像音声データの記録の有無を表わすためのデータをいう。
【００３３】
記録制御部２２０は、他の映像音声データがいずれかの記録領域に記録されていない場合に、当該録画指示に基づいて、データ記録再生ヘッド１４２に録画指示された映像音声データをその領域に記録させるための信号を出力する。表示データ生成部２３０は、他の映像音声データがいずれかの記録領域に記録されている場合に、その映像音声データが記録済みである旨と他の記録領域における映像音声データの記録状態とを含むメッセージを表示するためのデータを生成する。ここで記録状態とは、たとえば番組が録画されているか否か、あるいは録画モードなどである。
【００３４】
消去制御部２４０は、他の映像音声データを消去する指示が含まれる信号の受信に応答して、その映像音声データを消去するための指令を出力する。データ記録再生ヘッド１４２は、その指令に基づいて、消去が指示されたデータをハードディスク１４４から削除する。再生制御部２５０は、再生指示が含まれる信号の受信に応答して、データ記録再生ヘッド１４２に再生が指示された領域に格納されている映像音声データを再生するための指令を出力する。データ記録再生ヘッド１４２は、その指令に基づいて映像音声データを読み出し出力する。
【００３５】
図３を参照して、ハードディスク１４４について説明する。図３は、ハードディスク１４４におけるの領域の構成を表わす図である。
【００３６】
ハードディスク１４４は、ハードディスクレコーダ１００の制御のために予め確保されたシステム管理領域３１０と、ユーザが録画可能なユーザ領域３２０とを含む。ユーザ領域３２０は、第１のエリア３２１と第２のエリア３２２と第３のエリア３２３と第４のエリア３２４と第５のエリア３２５とに、それぞれ分けられている。各エリアは、予め分割されていてもよい。あるいは、各エリアは、ユーザが所定の操作を実行してサイズを入力することにより分割可能であってもよい。この場合、ユーザ領域３２０には、ユーザの入力に応じて算出された領域に対応するアドレスが設定され、ハードディスク１４４に関連付けられる。
【００３７】
なお、エリアの数は、後述するリモコン端末が備える録画ボタンあるいは再生ボタンの数に応じて定められる。すなわち、各ボタンに固有な領域がハードディスク１４４に確保されることになる。
【００３８】
図４を参照して、ハードディスクレコーダ１００のデータ構造について説明する。図４は、システム制御部２００が備えるメモリ１１２におけるデータの格納の一態様を概念的に表わす図である。
【００３９】
メモリ１１２には、エリア番号と録画状態とアドレスとが、それぞれ関連付けられて格納されている。すなわち、エリア番号は、領域４００に格納されている。録画状態を表わすデータは、領域４１０に格納されている。アドレスは、領域４２０に格納されている。ここで、エリア番号とは図３に示されるようにハードディスク１４４のユーザ領域において予め確保された領域を特定するための番号である。録画状態とは、当該エリアにおいて録画データが存在するか否かを表わすためのデータ、たとえばフラグである。アドレスは、当該エリアの先頭の位置を特定するためのデータである。
【００４０】
本実施の形態においてはハードディスク１４４において予め５つのユーザ領域が設定されている。したがって、メモリ１１２においても５つのエリアに対応するデータレコードが確保されている。たとえばレコードＲ４３０を参照して、第１のエリアには録画データがなく、先頭アドレスは「１０００」である。レコードＲ４４０を参照して、第２のエリアには、録画データが存在し、そのアドレスは「２０００」である。このようなデータをメモリ１１２に確保しておくことにより、システム制御部２００は、エリア番号（領域４００）を特定することにより、各々の領域における録画状態（領域４１０）を参照しつつ、後述するように録画処理あるいは消去処理を実行することができる。
【００４１】
図５を参照して、本発明の実施の形態に係るリモコン端末５００について説明する。図５は、リモコン端末５００の外観を表わす図である。
【００４２】
リモコン端末５００は、赤外線発光部５０２と操作部５５０とを含む。操作部５５０は、複数の録画再生専用ボタン５１０と、画面に表示されるカーソルを移動するための移動キー５５２と、数字ボタン５５４とを含む。本実施の形態においては、録画再生専用ボタン５１０は、５つの録画専用ボタン、すなわち第１のボタン５１１〜第５のボタン５１５を含む。さらに、録画再生専用ボタン５１０は、５つの再生専用ボタン、すなわち第６のボタン５２１〜第１０のボタン５２５を含む。
【００４３】
これらの録画ボタンおよび再生ボタンは、それぞれハードディスク１４４において確保されている５つのエリアに対応付けられている。すなわち、第１のエリアには、第１のボタン５１１と第６のボタン５２１とが対応付けられている。第２のエリアには、第２のボタン５１２と第７のボタン５２２とが対応付けられている。他のエリアも、同様である。このようにハードディスク装置１４０に確保されている領域ごとに録画ボタンと再生ボタンとを予め対応付けておくことにより、ユーザは、録画を希望する番組を容易にそのエリアに記録することができる。また、ユーザは、いずれかの再生ボタンを押下することにより、そのボタンに対応しているエリアに格納されている録画済みデータ、たとえば過去に録画した番組などを簡単に再生することができる。
【００４４】
図６を参照して、リモコン端末５００の構成についてさらに説明する。図６は、リモコン端末５００の機能的構成を表わすブロック図である。
【００４５】
リモコン端末５００は、赤外線発光部５０２と操作部５５０とに加えて、制御回路５３０とチャンネル選局回路５４０とを含む。制御回路５３０は、メモリ７００を含む。
【００４６】
制御回路５３０は、前述のいずれかの録画ボタン（すなわち第１のボタン５１１〜第５のボタン５１５のいずれか）の押下に応答して、そのボタンに対応する記録領域の領域名と録画指示とが含まれる信号を生成する。また、制御回路５３０は、第１のエリア〜第５のエリアのいずれかから、既に録画されている映像音声データを読み出して再生するための指示の入力、すなわち第６のボタン５２１〜第１０のボタン５２５のいずれかの押下に応答して、その再生が指示された記録領域の領域名と再生指示とが含まれる信号を生成する。制御回路５３０は、生成した各信号を赤外線発光部５０２を介して送信する。チャンネル選局回路５４０は、操作部５５０を介した入力たとえば数字ボタン５５４の押下に応答して指示されたチャンネルを選局し、電波を受信するための指令を生成する。この指令は制御回路５３０に入力される。赤外線発光部５０２は、制御回路５３０により生成された信号を発信する。
【００４７】
図７を参照して、本実施の形態に係るリモコン端末５００のデータ構造について説明する。図７は、リモコン端末５００が備えるメモリ７００におけるデータの格納の一態様を概念的に表わす図である。
【００４８】
メモリ７００において、リモコン端末５００が備える録画再生専用ボタン５１０とハードディスクレコーダ１００において確保されているエリアとを関連付けるためのデータが、それぞれ格納されている。すなわち、録画再生専用ボタンのそれぞれを識別するためのデータは、領域７１０に格納されている。各ボタンの押下に応答して出力される信号を生成するためのデータは、領域７２０に格納されている。このデータは、ハードディスク１４４に確保されている領域を特定するための領域名とその押下が録画指示であるか再生指示であるかを表わすためのデータとを含む。このように、ボタンとそのボタンに応じて出力される指令とを関連付けてメモリ７００に予め格納しておくことにより、制御回路５３０は、１つのボタンの押下に応じて録画指示あるいは再生指示を含む信号を生成することができる。
【００４９】
図８を参照して、リモコン端末５００により発信される制御信号について説明する。図８は、制御信号８００の構成を概念的に表わす図である。
【００５０】
制御信号８００は、送信ヘッダ８１０と制御データ８２０とを含む。送信ヘッダ８１０は、装置番号とリモコン端末番号とを含む。ここで、装置番号とは、リモコン端末５００による制御信号に基づいて動作可能なデータ記録再生装置、たとえばハードディスクレコーダ１００を識別するための番号をいう。リモコン端末番号とは、リモコン端末５００を識別するための番号をいう。制御データ８２０は、録画あるいは再生の対象となるエリアを特定するためのエリア番号と、データ記録再生装置に対する指示、たとえば録画指示あるいは再生指示を含む。図８の例では、制御信号８００は、第１のエリアに対する録画を実行するための信号を表わす。
【００５１】
図９を参照して、リモコン端末５００の制御構造について説明する。図９は、制御回路５３０が実行する処理の手順を表わすフローチャートである。
【００５２】
ステップＳ９１０にて、制御回路５３０は、録画専用ボタンの押下を検知する。ステップＳ９２０にて、制御回路５３０は、押下されたボタンを識別するコードと録画指示とを含む制御データを生成する。ステップＳ９３０にて、制御回路５３０は、生成した制御用データに送信ヘッダを付加してリモコン信号を生成する。ステップＳ９４０にて、制御回路５３０は、赤外線発光部５０２を介してリモコン信号を発信する。
【００５３】
図１０を参照して、リモコン端末５００の制御構造についてさらに説明する。図１０は、リモコン端末５００が実行する再生信号の送信処理の手順を表わすフローチャートである。
【００５４】
ステップＳ１０１０にて、制御回路５３０は、再生専用ボタンの押下を検知する。ステップＳ１０２０にて、制御回路５３０は、押下されたボタンを識別するコードと再生指示とを含む制御データを生成する。ステップＳ１０３０にて、制御回路５３０は、制御データに予め定められた項目を含む送信ヘッダを付加して、リモコン信号を生成する。ステップＳ１０４０にて、制御回路５３０は、赤外線発光部５０２を介してリモコン信号を発信する。
【００５５】
次に、図１１および図１２を参照して、本実施の形態に係るハードディスクレコーダ１００の制御構造について説明する。図１１は、ハードディスクレコーダ１００のシステム制御部２００が実行する録画処理の手順を表わすフローチャートである。この処理は、リモコン端末５００から発信された制御信号がハードディスクレコーダ１００の受光部１２４によって受信されたときに、実行される。
【００５６】
ステップＳ１１１０にて、システム制御部２００は、受光部１２４を介して入力される信号に基づいて、録画の指示が入力されたか否かを判断する。録画の指示が入力されたと判断すると（ステップＳ１１１０にてＹＥＳ）、処理は、ステップＳ１１２０に移される。そうでない場合には（ステップＳ１１１０にてＮＯ）、処理は終了する。
【００５７】
ステップＳ１１２０にて、システム制御部２００は、メモリ１１２のデータに基づいて、録画が指示されたエリアの録画状況を確認する。ステップＳ１１３０にて、システム制御部２００は、そのエリアに録画可能であるか否かを判断する。この判断は、たとえば領域４１０に格納されている録画状態を表わすためのデータ（図４）に基づいて行なわれる。そのエリアに録画可能である場合には（ステップＳ１１３０にてＹＥＳ）、処理は、ステップＳ１１８０に移される。そうでない場合には（ステップＳ１１３０にてＮＯ）、処理は、ステップＳ１１４０に移される。
【００５８】
ステップＳ１１４０にて、システム制御部２００は、そのエリアには既に映像音声データが記録されている旨を表わすメッセージを出力する。ステップＳ１１５０にて、システム制御部２００は、ハードディスク１４４の他のエリアの録画状況を出力する。このときの録画状況は、ステップＳ１１２０にて参照されたメモリ１１２の領域４１０に格納されているデータに基づいて通知される。
【００５９】
ステップＳ１１６０にて、システム制御部２００は、選択されたエリアから録画済みデータが消去されたか否かを判断する。この判断は、たとえばハードディスクレコーダ１００における消去処理に応答してメモリ１１２の領域４１０に格納されるデータの更新後に行なわれる。選択されたエリアから録画済みデータが消去されている場合には（ステップＳ１１６０にてＹＥＳ）、処理は、ステップＳ１１８０に移される。そうでない場合には（ステップＳ１１６０にてＮＯ）、処理は、ステップＳ１１７０に移される。
【００６０】
ステップＳ１１７０にて、システム制御部２００は、録画可能な他のエリアが選択されたか否かを判断する。この判断は、たとえばリモコン端末５００からさらに送信された録画信号が受光部１２４によって受信された後、その信号から検出される領域名に基づいて行なわれる。他のエリアが選択されていると判断すると（ステップＳ１１７０にてＹＥＳ）、処理は、ステップＳ１１８０に移される。そうでない場合には（ステップＳ１１７０にてＮＯ）、処理は終了する。ステップＳ１１８０にて、システム制御部２００は、指定されたエリアに録画を実行するための指令を出力する。データ記録再生ヘッド１４２は、その指令に基づいてハードディスク１４４の所定のエリアに映像音声データを書き込む。
【００６１】
図１２は、システム制御部２００が実行する再生処理の手順を表わすフローチャートである。この処理は、リモコン端末５００から再生信号が送信され、ハードディスクレコーダ１００がその信号を受信した場合に実行される。
【００６２】
ステップＳ１２１０にて、システム制御部２００は、受光部１２４により受信されたリモコン信号に含まれるデータに基づいて、リモコン端末５００の再生専用ボタンの押下を検知する。ステップＳ１２２０にて、システム制御部２００は、リモコン信号に含まれるデータから、再生のために選択されたエリアを検出する。
【００６３】
ステップＳ１２３０にて、システム制御部２００は、選択されたエリアに録画済みデータが存在するか否かを判断する。この判断は、メモリ１１２の領域４１０に格納されている録画状態を表わすためのデータに基づいて行なわれる。録画済みデータが存在する場合には（ステップＳ１２３０にてＹＥＳ）、処理は、ステップＳ１２４０に移される。そうでない場合には（ステップＳ１２３０にてＮＯ）、処理は、ステップＳ１２６０に移される。
【００６４】
ステップＳ１２４０にて、システム制御部２００は、再生のために選択されたエリアから、録画済みデータを再生する指令を出力する。データ記録再生ヘッド１４２は、その指令に基づいて録画済みデータを読み出す。この読出は、メモリ１１２の領域４００に格納されているエリア番号と領域４２０に格納されているアドレスとに基づいて行なわれる。
【００６５】
ステップＳ１２５０にて、システム制御部２００は、再生停止の指示が入力されたか否かを判断する。この判断は、たとえば受光部１２４により受信される信号に基づいてあるいは操作部１２２を介して入力される指示に基づいて行なわれる。再生停止の指示が入力されている場合には（ステップＳ１２５０にてＹＥＳ）、処理は終了する。そうでない場合には（ステップＳ１２５０にてＮＯ）、処理は、ステップＳ１２４０に戻され、再生が継続される。
【００６６】
ステップＳ１２６０にて、システム制御部２００は、再生が指示されたエリアに録画済みデータがないことを通知するためのメッセージデータを生成する。ステップＳ１２７０にて、システム制御部２００は、そのメッセージデータをＯＳＤ画像生成回路１１４に出力する。ＯＳＤ画像生成回路１１４がそのデータに基づいて表示用のデータを生成すると、ハードディスクレコーダ１００は出力部１６８を介してテレビ４００に画像信号を出力する。テレビ４００は、ユーザが再生のために選択したエリアには録画済みデータがないことを通知するための画面を表示する。この画面の表示の態様については後述する。
【００６７】
図１３および図１４を参照して、本実施の形態に係るハードディスクレコーダ１００が接続されるテレビ４００における画面の表示態様について説明する。図１３は、ユーザが録画を指示した場合に表示される画面を表わす図である。図１４は、ユーザが再生を指示した場合に表示される画面を表わす図である。
【００６８】
ここでは、ハードディスクレコーダ１００において図４に示される態様で各エリアに録画データが記録されている場合について説明する。すなわち第１のエリアおよび第５のエリアには録画データは存在しない。第２のエリア、第３のエリア、および第４のエリアには、録画データが存在する。
【００６９】
ユーザが第２のエリアに番組を録画するために、第２のボタン５１２（図５）を押下すると、ハードディスクレコーダ１００は、リモコン端末５００により送信された信号に基づいて第２のエリアにおける録画状況を確認する。第２のエリアには、既に録画データが存在するため（図４におけるレコードＲ４４０）、システム制御部２００は、その旨を通知するためのデータを生成する。
【００７０】
そのデータが出力されると、テレビ４００は、「第２のエリアには、既に番組が録画されています！  第２のエリアに録画されている番組を消去しますか？」のメッセージを表示する。さらに、テレビ４００は、上記のメッセージに対して「はい」および「いいえ」のいずれかを選択するためのアイコンを表示する。また、テレビ４００は、各エリアにおける録画状態を通知するためのアイコンを表示する。この表示は、図１３（Ａ）に示されるように、各第１のエリアから５の各々について録画ボタンであることを表わすアイコンと各エリアが録画可能であるか録画済みであるかを表わす文字とを含む。この表示は、メモリ１１２に格納されているデータ（図４）に基づいてシステム制御部２００がＯＳＤ画像生成回路１１４に上記のアイコンを表示させることにより実現される。
【００７１】
ユーザが、上記の問いかけに対してたとえば「はい」を選択すると、システム制御部２００は、第２のエリアに格納されている番組を消去する。すなわちシステム制御部２００は、データ記録再生ヘッド１４２に対して第２のエリアに記録されている映像音声データを消去するための指令を出力する。この消去が完了すると、システム制御部２００は、データ記録再生ヘッド１４２に対して、第２のエリアにチューナ１３０を介して現在受信されている番組を録画するための指令を出力する。その結果、ハードディスクレコーダ１００は、ユーザが録画を希望する番組を第２のエリアに録画する。
【００７２】
一方、ユーザが上記の問いかけに対して「いいえ」を選択するための操作を実行すると、テレビ４００の画面は図１３（Ｂ）に示される表示に切換えられる。すなわち、テレビ４００は、「他のエリアを選択して下さい。」というメッセージを表示する。テレビ４００は、さらにそのとき録画可能なエリアを表示する。この表示は、たとえば図１３（Ｂ）に示されるように、第１のエリアから第５のエリアについて録画可能なエリアにのみ録画ボタンを表わすアイコンを表示することにより行なわれる。このようにすると、ユーザは、第２のエリア以外にどのエリアに番組を録画することができるかを容易に認識することができる。このため、録画可能な他のエリアを検索する必要がないため、録画操作がより簡略化される。
【００７３】
図１４を参照して、ユーザがリモコン端末５００の再生専用ボタンを押下すると、図１４（Ａ）に示される画面が表示される。たとえばユーザが第１のエリアに録画されていると思われるデータを再生するために第６のボタン５２１（図５）を押下すると、リモコン端末５００は、メモリ７００に格納されているデータ（図７）に基づいて第１のエリアの再生を指示するための信号を発信する。
【００７４】
ハードディスクレコーダ１００がその信号を受信すると、システム制御部２００は、メモリ１１２に格納されているデータに基づいて第１のエリアに録画データが存在するか否かを確認する。この場合、第１のエリアには録画データが存在しないため、システム制御部２００は、その旨を通知するための画像をＯＳＤ画像生成回路１１４に生成させる。さらに、システム制御部２００は、他のエリアに録画されている番組を再生するか否かを確認するメッセージと各エリアにおける録画状況を通知するための画像をＯＳＤ画像生成回路１１４に生成させる。
【００７５】
これらのデータがハードディスクレコーダ１００からテレビ４００に出力されると、テレビ４００は、図１４（Ａ）に示される画面を表示する。すなわち、テレビ４００は、「第１のエリアには、録画済みデータがありません。他のエリアに録画されている番組を再生しますか？」というメッセージを表示する。テレビ４００は、さらに上記の問いかけに対して「はい」または「いいえ」のいずれかの選択のための入力を受付けるための画像を表示する。この表示は、システム制御部２００における処理と対応付けられている。すなわちユーザが「はい」および「いいえ」のいずれかを選択するための操作（たとえばリモコン端末５００におけるボタン５５２の押下）により、その選択に対応する信号が生成される。テレビ４００は、さらに第１のエリア〜第５のエリアにおいて番組があるかないか、すなわち録画済みデータがあるかないかを表わすための画像を表示する。このときの表示は、各エリアとともに再生ボタンのアイコンを表示することにより行なわれる。
【００７６】
上記の問いかけに対してユーザが「いいえ」を選択すると、再生は行なわれない。一方、ユーザが「はい」を選択すると、テレビ４００は、図１４（Ｂ）に示される画面を表示する。すなわち、テレビ４００は、「他のエリアを選択して下さい。」というメッセージを表示する。さらに、テレビ４００は、そのとき再生可能なエリアと、再生ボタンを表わすアイコンとを表示する。この表示は、システム制御部２００がメモリ１１２に格納されているデータ（図４）に基づいて、録画データが存在する領域についてのみ再生専用ボタンのアイコンを表示するようにＯＳＤ画像生成回路１１４に指示することにより実現される。このようにすると、ユーザはいずれのエリアについて再生可能であるか否かを容易に判断することができる。したがって、ユーザは第２のエリア〜第４のエリアのいずれかに示されるボタンすなわち第７のボタン５２２〜第９のボタン５２４（図５）を押下することにより、番組を簡単に再生することができる。
【００７７】
以上のようにして、本発明の第１の実施の形態に係るハードディスクレコーダ１００およびリモコン端末５００によると、予め設定された複数の領域の各々に対応付けられた録画信号あるいは再生信号に基づいて、映像音声データの記録、あるいは再生が行なわれる。
【００７８】
すなわち、ユーザによる録画操作の実行時に、データが録画済みである領域に対する録画信号がリモコン端末５００からハードディスクレコーダ１００に対して出力された場合には、その領域にはデータが録画済みである旨の表示を行なうための信号が生成され、出力される。ハードディスクレコーダ１００に接続されているテレビ４００は、その旨を表示する。当該ユーザは、その表示に基づいて他の領域を指定することができる。ハードディスクレコーダ１００は、ユーザによる当該指定のための入力に基づいて、指定された他の領域にデータを記録する。このようにすると、ユーザは、空き領域を都度検索することなく、容易に録画操作を実行することができる。
【００７９】
他方、ユーザが再生操作を実行すると、ハードディスクレコーダ１００は、その操作により特定される領域からデータを読み出して再生する。このとき、再生のために指定された領域にデータが記録されていない場合には、その領域にデータが記録されていない旨の表示、および他の領域の選択を促す表示のためのデータが生成され、出力される。当該テレビ４００は、上記表示を行なう。ユーザは、その表示に基づいて、再生可能な領域、すなわち、データが記録済みである領域を再度選択することができる。このようにすると、ユーザは、再生可能な領域を都度検索することなく、容易に再生操作を実行することができる。これにより、録画操作および再生操作を容易に実行可能なデータ記録再生装置を提供することができる。
【００８０】
＜第２の実施の形態＞
以下、本発明の第２の実施の形態について説明する。本実施の形態に係るデータ記録再生装置の一態様であるＤＶＤレコーダ１５００は、複数のＤＶＤドライブを備える点で、前述の第１の実施の形態と異なる。
【００８１】
図１５を参照して、本実施の形態に係るＤＶＤレコーダ１５００について説明する。図１５は、ＤＶＤレコーダのハードウェア構成を表わすブロック図である。
【００８２】
ＤＶＤレコーダ１５００は、図１に示されるハードディスクレコーダ１００の構成に対してハードディスク装置１４０を有さない。ＤＶＤレコーダ１５００は、逆にＤＶＤ駆動装置１７０を備える。ＤＶＤ駆動装置１７０は、複数のＤＶＤの各々を駆動してデータを記録したり、記録済みのデータを読み出すためのデータ記録再生ヘッド（図示しない）を複数有する。データ記録再生ヘッドの数は、ＤＶＤ駆動装置１７０に一度に装着可能なディスクの数に対応する。
【００８３】
図１６を参照して、本実施の形態に係るＤＶＤレコーダ１５００のデータ構造について説明する。図１６は、システム制御部２００が備えるメモリ１１２におけるデータの格納の一態様を概念的に表わす図である。
【００８４】
メモリ１１２には、ドライブ番号と録画状態とＤＶＤ装置とを関連付けるためのデータが格納されている。すなわち、領域１６００に格納されているドライブ番号と領域１６１０に格納されている録画状態を表わすためのデータと領域１６２０に格納されているＤＶＤを特定するためのデータとがそれぞれ関連付けられている。ここで、領域１６００に格納されているドライブ番号は、ＤＶＤレコーダ１５００が備えるＤＶＤドライブその他のディスクを駆動する装置を識別するための番号である。
【００８５】
レコードＲ１６３０を参照して、たとえば、第１のドライブには、第１のＤＶＤが装着されている。そのディスクには録画データが存在しないことが示されている。同様に、レコードＲ１６７０を参照して、第５のドライブにはＤＶＤが装着されていないことが示されている。
【００８６】
システム制御部２００は、これらのデータを参照することにより、各ドライブごとにＤＶＤが存在するか否か、およびＤＶＤが装着されている場合には、録画データが存在するか否かを判断することができる。
【００８７】
図１７を参照して、本実施の形態に係るリモコン端末１７００について説明する。図１７は、リモコン端末１７００の外観を表わす図である。
【００８８】
リモコン端末１７００は、５つのドライブごとに専用に割当てられた録画再生専用ボタン１７１０を含む。すなわち、録画再生専用ボタン１７１０は、第１のドライブから第５のドライブに装着されている各々のディスクに録画するための録画ボタン、第１のボタン１７１１〜第５のボタン１７１５を含む。録画再生専用ボタン１７１０は、さらに各ドライブごとにディスクに格納されているデータを再生するためのボタン、すなわち第６のボタン１７２１〜第１０のボタン１７２５を含む。なおリモコン端末１７００のその他の構成については、前述の第１の実施の形態における構成と同じである。それらの機能も同じである。したがって、それらについての説明は繰り返さない。
【００８９】
図１８および図１９を参照して、本実施の形態に係るＤＶＤレコーダ１５００の制御構造について説明する。図１８は、ＤＶＤレコーダ１５００のシステム制御部２００が実行する録画処理の手順を表わすフローチャートである。図１９は、システム制御部２００が実行する再生処理の手順を表わすフローチャートである。これらの処理は、リモコン端末１７００から所定の録画指示信号あるいは再生指示信号が発信され、ＤＶＤレコーダ１５００の受光部１２４により受信されたときに実行される。なお、前述の第１の実施の形態における処理と同一の処理には、同一のステップ番号を付してある。したがって、それらについての説明は繰り返さない。
【００９０】
図１８を参照して、ステップＳ１８２０にて、システム制御部２００は、メモリ１１２に格納されているデータに基づいて、録画が指示されたドライブにおけるＤＶＤの録画状況を確認する。ステップＳ１８３０にて、システム制御部２００は、当該録画状況に基づいて、そのＤＶＤに録画可能であるか否かを判断する。そのＤＶＤに録画可能である場合には（ステップＳ１８３０にてＹＥＳ）、処理は、ステップＳ１８８０に移される。そうでない場合には（ステップＳ１８３０にてＮＯ）、処理は、ステップＳ１１４０に移される。
【００９１】
ステップＳ１８５０にて、システム制御部２００は、他のドライブに装着されているＤＶＤの録画状況を出力する。テレビ４００は、この出力に応答して録画状況を表示するための画面を表示する。ステップＳ１８６０にて、システム制御部２００は、選択されたＤＶＤから録画済みデータが消去されたか否かを判断する。そのデータが消去されている場合には（ステップＳ１８６０にてＹＥＳ）、処理は、ステップＳ１８８０に移される。そうでない場合には（ステップＳ１８６０にてＮＯ）、処理は、ステップＳ１８７０に移される。
【００９２】
ステップＳ１８７０にて、システム制御部２００は、録画可能な他のＤＶＤが選択されたか否かを判断する。そのようなＤＶＤが選択されると（ステップＳ１８７０にてＹＥＳ）、処理はステップＳ１８８０に移される。そうでない場合には（ステップＳ１８７０にてＮＯ）、システム制御部２００は、処理を終了する。ステップＳ１８８０にて、システム制御部２００は、指定されたドライブのＤＶＤに録画を実行するための指令を出力する。ＤＶＤ駆動装置１７０は、その指令に基づいて、当該ドライブに装着されているディスクにデータを書き込む。
【００９３】
図１９を参照して、ステップＳ１９２０にて、システム制御部２００は、再生のために選択されたＤＶＤを検出する。ステップＳ１９３０にて、システム制御部２００は、対応するドライブにＤＶＤが装着されているか否かを判断する。そのドライブにＤＶＤが装着されている場合には（ステップＳ１９３０にてＹＥＳ）、処理は、ステップＳ１９４０に移される。そうでない場合には（ステップＳ１９３０にてＮＯ）、処理は、ステップＳ１９６０に移される。
【００９４】
ステップＳ１９４０にて、システム制御部２００は、選択されたドライブに装着されているＤＶＤから録画済みデータを再生する指令を出力する。ＤＶＤ駆動装置１７０は、その指令に応答して、当該ＤＶＤからデータを読み出す。ステップＳ１９６０にて、システム制御部２００は、ＤＶＤが選択されたドライブに装着されていないことを通知するためのメッセージデータを生成する。ステップＳ１９７０にて、システム制御部２００は、そのメッセージデータを出力する。ＯＳＤ画像生成回路１１４は、その出力データに基づいて、所定の画面を表示するための画像データを生成し、合成回路１５８に対して出力する。このデータが出力されると、テレビ４００は、その旨を通知するための画面を表示する。この表示の態様については後述する。
【００９５】
図２０および図２１を参照して、本実施の形態に係るＤＶＤレコーダ１５００が接続されるテレビ４００における画面の表示態様について説明する。図２０は、録画が指示された場合に表示される画面を表わす図である。図２１は、再生が指示された場合に表示される画面を表わす図である。
【００９６】
ユーザがリモコン端末１７００を操作して第２のドライブに装着されている第２のディスクに対して番組を録画するための操作を実行すると、システム制御部２００は、第２のディスクには番組が既に録画されていることを検知し、その旨を通知する。すなわち、図２０（Ａ）に示されるように、テレビ４００は、「第２のドライブのディスクには、既に番組が録画されています！第２のドライブのディスクに録画されている番組を消去しますか？」というメッセージ画像を表示する。テレビ４００は、さらに上記の問いかけに対して、ユーザが選択のための入力すなわち「はい」および「いいえ」を表示する。さらに、テレビ４００は、各ドライブにおける録画状況を通知するための画像を表示する。このとき、各ドライブの表示と、リモコン端末１７００に設けられている録画専用ボタンを表わす各アイコンとがそれぞれ表示される。
【００９７】
上記の問いかけに対して、ユーザが「いいえ」を選択すると、テレビ４００は、図２０（Ｂ）に示されるように、「他のエリアを選択して下さい。」のメッセージを表示する。すなわち、当該選択に対応する指示がシステム制御部２００に入力される。システム制御部２００は、その入力に応答して、他のドライブの選択を促す画面の表示のためのデータを生成し、そして出力する。これにより、テレビ４００は、録画可能なドライブを示すための画像を表示する。すなわち、テレビ４００は、録画可能なドライブの名称と録画専用ボタンのアイコンとを表示する。ユーザは、このような表示によりいずれのドライブに録画することができるかを容易に知ることができる。
【００９８】
図２１を参照して、ユーザがリモコン端末１７００の第６のボタン１７２１を押下すると、ＤＶＤレコーダ１５００は、その押下に基づいて発信されたリモコン信号から、第１のディスクには録画済みデータが存在しないことを検知する。システム制御部２００は、その検知に応答して、再生のために選択されたディスクには録画済みデータが存在しないことを通知するためのデータを生成する。
【００９９】
システム制御部２００がＯＳＤ画像生成回路１１４にそのデータに基づいて所定の画像を表示させると、テレビ４００は、図２１（Ａ）に示されるような画面を表示する。すなわち、テレビ４００は、「第１のディスクには、録画済みデータがありません。他のディスクに録画されている番組を再生しますか？」というメッセージを表示する。テレビ４００は、さらに上記の問いかけに対する選択の入力すなわち「はい」および「いいえ」を受け付けるためのアイコンを表示する。この表示は、システム制御部２００に対する入力に関連付けられている。テレビ４００は、さらに各ドライブにおける録画状況を表示するための画面を表示する。すなわち、各ディスクを識別するための名称と再生専用ボタンのアイコンとがそれぞれ表示される。この場合、第５のドライブにはディスクが装着されていないため、その旨を通知するための画像が表示される。
【０１００】
ユーザが上記の問いかけに対して「はい」を選択すると、テレビ４００は図２１（Ｂ）に示される画面を表示する。すなわち、テレビ４００は、「他のドライブを選択して下さい。」というメッセージを表示する。テレビ４００は、さらにＤＶＤデコーダ１５００において再生可能なディスクを表示するためのアイコンを示す。たとえば第２のドライブに装着されているディスクから第４のドライブに装着されているディスクまでが再生可能である場合には、当該ドライブに対して再生専用ボタンを表わすアイコンと「再生可能」という表示が、それぞれ行なわれる。このような表示により、ユーザは、いずれかのドライブに装着されているディスクから、所定の番組を簡単に再生することができる。
【０１０１】
以上のようにして、本発明の第２の実施の形態に係るリモコン端末１７００は、ＤＶＤレコーダ１５００が備えるディスク駆動装置の数に応じた録画専用ボタンおよび再生専用ボタンを含む。いずれかのボタンは、押下により、当該ディスク駆動装置（いわゆるドライブ）における録画あるいは再生の指令を出力する。ＤＶＤレコーダ１５００は、その指令に応じて、当該ドライブに装着されているディスクに対するデータの書込み（録画）、あるいはデータの読み出し（再生）を実行する。これにより、ユーザは、リモコン端末１７００が備えるボタンの押下のみで、特定のディスクへの録画あるいは再生を実行することができる。その結果、録画および再生のための操作を簡略化することができるデータ記録再生装置およびリモコン端末を提供することができる。
【０１０２】
以上のようにして、本発明の第２の実施の形態に係るＤＶＤレコーダ１５００およびリモコン端末１７００によると、複数のＤＶＤドライブの各々に装着されているＤＶＤへの記録および再生を実行することができる。
【０１０３】
すなわち、ユーザが録画操作を実行した場合には、ユーザにより押下されたボタンに対応付けられるドライブに装着されているＤＶＤに録画する旨の指示信号が、リモコン端末１７００からＤＶＤレコーダ１５００に送信される。指示されたドライブに装着されているＤＶＤに対して録画できない場合には、その旨および他のドライブの選択を促す表示のためのデータが生成され、出力される。ＤＶＤレコーダ１５００に接続されているテレビ４００は、その旨を表示する。ＤＶＤレコーダ１５００のユーザは、その表示に基づいて録画可能なディスクが装着されている他のドライブを指定することができる。ＤＶＤレコーダ１５００は、当該指定のための入力に基づいて、指定された他のドライブに装着されているＤＶＤに、映像音声データを記録する。このようにすると、ユーザは、空き領域を再度検索することなく、容易に録画操作を実行することができる。
【０１０４】
他方、ユーザが再生操作を実行すると、ＤＶＤレコーダ１５００は、その操作により特定されるドライブに装着されているＤＶＤからデータを読み出し、そして再生する。このとき、当該ＤＶＤにデータが記録されていない場合には、ＤＶＤにデータが記録されていない旨の表示、および他のドライブの選択を促す表示のためのデータが生成され、出力される。当該テレビ４００は、上記表示を行なう。ユーザは、その表示に基づいて、再生可能なドライブ、すなわち、データが記録済みであるＤＶＤが装着されているドライブを再度選択することができる。このようにすると、ユーザは、再生可能なドライブを都度探すことなく、容易に再生操作を実行することができる。これにより、録画操作および再生操作を容易に実行可能なデータ記録再生装置を提供することができる。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０６】
本発明は、複数の記録領域を備えるデータ記録再生装置および当該装置に対応したリモコン端末に適用可能である。たとえば、本発明は、予め複数のデータ領域に区分されたハードディスクを備えるハードディスクレコーダと、当該領域の数に対応して設けられた専用の録画ボタンあるいは再生ボタンを備えるリモコン端末に適用可能である。
【図面の簡単な説明】
【０１０７】
【図１】本発明の第１の実施の形態に係るハードディスクレコーダのハードウェア構成を表わすブロック図である。
【図２】本発明の第１の実施の形態に係るハードディスクレコーダが備えるシステム制御部の機能的構成を表わすブロック図である。
【図３】図１に示されるハードディスクレコーダが備えるハードディスクにおけるの領域の構成を表わす図である。
【図４】本発明の第１の実施の形態に係るハードディスクレコーダのシステム制御部が備えるメモリにおけるデータの格納の一態様を概念的に表わす図である。
【図５】本発明の第１の実施の形態に係るリモコン端末の外観を表わす図である。
【図６】本発明の第１の実施の形態に係るリモコン端末の機能的構成を表わすブロック図である。
【図７】本発明の第１の実施の形態に係るリモコン端末が備えるメモリにおけるデータの格納の一態様を概念的に表わす図である。
【図８】本発明の第１の実施の形態に係るリモコン端末により発信される制御信号の構成を概念的に表わす図である。
【図９】本発明の第１の実施の形態に係るリモコン端末の制御回路が実行する処理の手順を表わすフローチャート（その１）である。
【図１０】本発明の第１の実施の形態に係るリモコン端末の制御回路が実行する処理の手順を表わすフローチャート（その２）である。
【図１１】本発明の第１の実施の形態に係るハードディスクレコーダのシステム制御部が実行する処理の手順を表わすフローチャート（その１）である。
【図１２】本発明の第１の実施の形態に係るハードディスクレコーダのシステム制御部が実行する処理の手順を表わすフローチャート（その２）である。
【図１３】本発明の第１の実施の形態に係るハードディスクレコーダが接続されるテレビに表示される画面を表わす図（その１）である。
【図１４】本発明の第１の実施の形態に係るハードディスクレコーダが接続されるテレビに表示される画面を表わす図（その２）である。
【図１５】本発明の第２の実施の形態に係るＤＶＤレコーダのハードウェア構成を表わすブロック図である。
【図１６】本発明の第２の実施の形態に係るＤＶＤレコーダのシステム制御部が備えるメモリにおけるデータの格納の一態様を概念的に表わす図である。
【図１７】本発明の第２の実施の形態に係るリモコン端末の外観を表わす図である。
【図１８】本発明の第２の実施の形態に係るＤＶＤレコーダのシステム制御部が実行する処理の手順を表わすフローチャート（その１）である。
【図１９】本発明の第２の実施の形態に係るＤＶＤレコーダのシステム制御部が実行する処理の手順を表わすフローチャート（その２）である。
【図２０】本発明の第２の実施の形態に係るＤＶＤレコーダが接続されるテレビに表示される画面を表わす図（その１）である。
【図２１】本発明の第２の実施の形態に係るＤＶＤレコーダが接続されるテレビに表示される画面を表わす図（その２）である。
【符号の説明】
【０１０８】
１００  ハードディスクレコーダ、１１２，７００  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１６０  Ｄ／Ａ変換部、１６８  出力部、１７０  ＤＶＤ駆動装置、１７２ａ〜１７２ｎ  ＤＶＤ、１９０  アンテナ、２００  システム制御部、４００  テレビ、５００，１７００  リモコン端末、５０２  赤外線発光部、５１０，１７１０  録画再生専用ボタン、５１１〜５１５，５２１〜５２５，１７１１〜１７１５，１７２１〜１７２５  ボタン、５３０  制御回路、５４０  チャンネル選局回路、５５０  操作部、５５２  移動キー、５５４  数字ボタン、１５００  ＤＶＤレコーダ。
【図１】
2006099869.tif 000003
【図２】
2006099869.tif 000004
【図３】
2006099869.tif 000005
【図４】
2006099869.tif 000006
【図５】
2006099869.tif 000007
【図６】
2006099869.tif 000008
【図７】
2006099869.tif 000009
【図８】
2006099869.tif 000010
【図９】
2006099869.tif 000011
【図１０】
2006099869.tif 000012
【図１１】
2006099869.tif 000013
【図１２】
2006099869.tif 000014
【図１３】
2006099869.tif 000015
【図１４】
2006099869.tif 000016
【図１５】
2006099869.tif 000017
【図１６】
2006099869.tif 000018
【図１７】
2006099869.tif 000019
【図１８】
2006099869.tif 000020
【図１９】
2006099869.tif 000021
【図２０】
2006099869.tif 000022
【図２１】
2006099869.tif 000023